(57)【要約】【課題】  送信された画像情報の漏洩を防止し、機密性の向上を図る。【解決手段】  画像情報の送信結果情報を含み、且つ当該画像情報を含まない送信結果レポートを生成し（ステップＳ２１０）、生成された送信結果レポートを印刷出力する（ステップＳ２１１）。【選択図】  図２
2005159659.tif 000002
【特許請求の範囲】
【請求項１】
画像情報を送信する画像情報送信手段と、
前記画像情報送信手段による前記画像情報の送信結果情報を含み、且つ前記画像情報を含まない送信結果レポートを生成する送信結果レポート生成手段と、
前記送信結果レポート生成手段により生成された前記送信結果レポートを出力する送信結果レポート出力手段とを有することを特徴とする情報処理装置。
【請求項２】
第１の画像情報を送信する画像情報送信手段と、
前記第１の画像情報とは異なる第２の画像情報を生成する画像情報生成手段と、
前記画像情報送信手段による前記第１の画像情報の送信結果情報と、前記画像情報生成手段により生成された前記第２の画像情報とを含む送信結果レポートを生成する送信結果レポート生成手段と、
前記送信結果レポート生成手段により生成された前記送信結果レポートを出力する送信結果レポート出力手段とを有することを特徴とする情報処理装置。
【請求項３】
前記画像情報送信手段は、通常送信モードと秘密モードとを含む複数の送信モードによる画像情報送信処理の実行を可能とし、前記送信結果レポート生成手段は、前記画像情報送信手段が前記秘密モードによる画像情報送信処理を実行する場合に、前記送信結果レポートを生成することを特徴とする請求項１又は２に記載の情報処理装置。
【請求項４】
前記画像情報から画像が存在する部分領域を判定する像域判定手段を更に有し、
前記画像情報生成手段は、前記像域判定手段により判定された部分領域を示す像域情報を前記第２の画像情報として生成することを特徴とする請求項２又は３に記載の情報処理装置。
【請求項５】
前記画像情報生成手段は、各部分領域に属する画像の種類毎に区別された像域情報を生成することを特徴とする請求項４に記載の情報処理装置。
【請求項６】
前記画像の種類として、文字画像、図形画像及び写真画像の少なくとも何れか一つを含むことを特徴とする請求項５に記載の情報処理装置。
【請求項７】
画像情報を送信可能な情報処理装置による情報処理方法であって、
前記画像情報の送信結果情報を含み、且つ前記画像情報を含まない送信結果レポートを生成する送信結果レポート生成ステップと、
前記送信結果レポート生成ステップにより生成された前記送信結果レポートを出力する送信結果レポート出力ステップとを含むことを特徴とする情報処理方法。
【請求項８】
第１の画像情報を送信可能な情報処理装置による情報処理方法であって、
前記第１の画像情報とは異なる第２の画像情報を生成する画像情報生成ステップと、
前記第１の画像情報の送信結果情報と、前記画像情報生成ステップにより生成された前記第２の画像情報とを含む送信結果レポートを生成する送信結果レポート生成ステップと、
前記送信結果レポート生成ステップにより生成された前記送信結果レポートを出力する送信結果レポート出力ステップとを含むことを特徴とする情報処理方法。
【請求項９】
請求項７又は８に記載の情報処理方法をコンピュータに実行させるためのプログラム。
【請求項１０】
請求項９に記載のプログラムを記録したコンピュータ読み取り可能な記録媒体。
【発明の詳細な説明】
【技術分野】
【０００１】
本発明は、画像情報の送信結果を含む送信結果レポートを出力させることを可能とする情報処理装置、情報処理方法、プログラム及び記録媒体に関するものである。
【背景技術】
【０００２】
多機能プリンタ（以下、ＭＦＰ：マルチファンクションプリンタと称す）の機能の一つとしてファックス送受信機能がある。多機能プリンタからファックス送信を行う場合、スキャナから原稿を読み込んでＭＦＰ内部の記憶装置に格納し、送信相手との通信を確立した後、記憶装置内の原稿画像データを相手先に送信する。さらに送信が終了すると、送信した原稿データ全て又はその一部と、相手先の情報を印字した送信結果レポートをＭＦＰから印刷することによりファックス送信者に送信の終了を知らせる。
【０００３】
また、何らかの原因により原稿画像データが送信先に送信されずにエラーが発生した場合も、送信者に送信が正常に終了しなかったことを知らせるためにＭＦＰから前記送信結果レポートを印刷する。尚、これらの送信結果レポートの出力は、ＭＦＰにあらかじめ設定を行うことにより、
１．送信した全ての原稿に対してレポートを出力する
２．送信時にエラーが発生した場合のみレポートを出力する
３．レポートを出力しない
のうちから選択することができる。
【０００４】
また、近年ＭＦＰにはセキュア印刷やセキュア送受信といった機能が追加され、機密性の高い印刷物やファックス受信原稿を他人に見られないようにするために、ＭＦＰの記憶装置に印刷物やファックス受信原稿を格納しておき、ユーザがＭＦＰの操作パネルからパスワード等の原稿取得者を特定する情報を入力することにより、記憶装置に格納されたデータを記録紙に印字してＭＦＰから出力するといったことが行われている。
【０００５】
さらにファックス送信では一般電話回線を利用するため、セキュア送信では送信側で原稿画像データを公開鍵暗号方式やＳＳＬ方式等の暗号化を行ってから送信を行い、相手先では受信したデータを復号化することで電話回線上のセキュリティ保護を行っている。また、特許文献１においては、極秘通信が選択された場合に、画情報や、通信結果レポート及び通信管理レポート等のレポートを含めて一切の情報を出力しないものが開示されている。
【０００６】
【特許文献１】特開平７−１４３３０２号公報
【発明の開示】
【発明が解決しようとする課題】
【０００７】
しかしながら、上記従来例ではＭＦＰでファクシミリ送信を行った場合、送信後にＭＦＰから送信した画像を付加した送信結果レポートが印刷され、例えばセキュア送信を行った場合でも送信結果レポートに機密性の高い原稿の画像の一部が印刷されてしまうという問題があった。
【０００８】
また、送信結果レポートを印刷しないように設定すると、通常のファクシミリ送信において送信結果レポートが出力されないために送信の確認を行うことが困難であった。さらに、送信エラー時に送信結果レポートを出力するように設定を行っている場合においても同様の問題が発生する。
【０００９】
本発明は、上記問題点に鑑みてなされたものであり、送信された画像情報の漏洩を防止し、機密性の向上を図ることにある。
【課題を解決するための手段】
【００１０】
斯かる目的を達成するために、本発明の情報処理装置は、画像情報を送信する画像情報送信手段と、前記画像情報送信手段による前記画像情報の送信結果情報を含み、且つ前記画像情報を含まない送信結果レポートを生成する送信結果レポート生成手段と、前記送信結果レポート生成手段により生成された前記送信結果レポートを出力する送信結果レポート出力手段とを有することを特徴とする。
【００１１】
本発明の情報処理装置の他の態様は、第１の画像情報を送信する画像情報送信手段と、前記第１の画像情報とは異なる第２の画像情報を生成する画像情報生成手段と、前記画像情報送信手段による前記第１の画像情報の送信結果情報と、前記画像情報生成手段により生成された前記第２の画像情報とを含む送信結果レポートを生成する送信結果レポート生成手段と、前記送信結果レポート生成手段により生成された前記送信結果レポートを出力する送信結果レポート出力手段とを有することを特徴とする。
【００１２】
本発明の情報処理方法は、画像情報を送信可能な情報処理装置による情報処理方法であって、前記画像情報の送信結果情報を含み、且つ前記画像情報を含まない送信結果レポートを生成する送信結果レポート生成ステップと、前記送信結果レポート生成ステップにより生成された前記送信結果レポートを出力する送信結果レポート出力ステップとを含むことを特徴とする。
【００１３】
本発明の情報処理方法の他の態様は、第１の画像情報を送信可能な情報処理装置による情報処理方法であって、前記第１の画像情報とは異なる第２の画像情報を生成する画像情報生成ステップと、前記第１の画像情報の送信結果情報と、前記画像情報生成ステップにより生成された前記第２の画像情報とを含む送信結果レポートを生成する送信結果レポート生成ステップと、前記送信結果レポート生成ステップにより生成された前記送信結果レポートを出力する送信結果レポート出力ステップとを含むことを特徴とする。
【００１４】
本発明のプログラムは、前記情報処理方法をコンピュータに実行させることを特徴とする。さらに、本発明のコンピュータ読み取り可能な記録媒体は、前記プログラムを記録したことを特徴とする。
【発明の効果】
【００１５】
本発明によれば、画像情報の送信結果を含む送信結果レポートに当該画像情報を含ませない、又は当該画像情報とは異なる画像情報を付加するように構成したので、送信された画像情報の漏洩を防止することが可能となり、機密性の向上を図ることができる。
【発明を実施するための最良の形態】
【００１６】
以下、本発明を適用した好適な実施形態を、添付図面を参照しながら詳細に説明する。
【００１７】
＜第１の実施形態＞
先ず、本発明の第１の実施形態について説明する。図１は、本発明の第１の実施形態に係るＭＦＰの構成を概略的に示す図である。
【００１８】
図中、１は、ユーザが操作するダイアル及びスイッチ等が配列された操作パネル部であり、コピー、ファックス送信等の動作指示や拡大縮小倍率、送信先の電話番号入力等の設定はこの操作パネル部を用いて行う。
【００１９】
２は、送信すべき原稿を光電的に走査して画像信号を形成するリーダ（読み取り部）であり、原稿をリーダの原稿台に乗せ、主走査方向に一列に並べたＣＣＤなどの光電素子を素子の並び方向と垂直（副走査方向）に移動して原稿を読み取り、電気的な画像データを生成する。リーダで読み取った画像データはリーダ制御部を介してバッファメモリに格納される。
【００２０】
３は、リーダ２により読み取られた画像データや回線を介して送られてきた受信信号を記録紙上に形成するプリンタであり、本実施形態のＭＦＰでは電子写真方式のプリンタが接続されている。プリンタへの画像データの出力は、バッファメモリに格納された画像データをプリンタ制御部を介してプリンタに送ることによって行う。
【００２１】
４は、リーダ２により読み取られた画像データや回線を介して送られてきた受信信号を格納するための記憶装置であり、ハードディスク等の不揮発性メモリより構成される。本記憶装置に画像データや受信信号を格納する場合、又は本記憶装置に格納された画像データや受信信号を読み出す場合はバッファメモリを介して格納及び読み出しが行われる。
【００２２】
５は、操作パネル部１を制御する操作パネル制御部であり、操作パネル部１により入力されたユーザからの指示を解析し、指示内容を後述のマイクロプロセッサ部に送る。
【００２３】
６は、リーダ部２を制御するリーダ制御部であり、マイクロプロセッサ部の指示によりリーダ１を駆動して原稿台上の原稿を読み取ると共に、読み取られた画像データをバッファメモリに格納する。
【００２４】
７は、プリンタ３を制御するプリンタ制御部であり、マイクロプロセッサ部からの指示によりバッファメモリから画像データ又は受信信号を取得してプリンタ３に出力すると共に、画像データの出力に合わせてプリンタ３を駆動することにより記録紙上に画像を印刷して出力する。
【００２５】
８は、記憶装置４を制御する為の記憶装置制御部であり、マイクロプロセッサ部の指示によりバッファメモリから記憶装置４へのデータの格納及び記憶装置４からバッファメモリへのデータの出力等を行う。
【００２６】
９は、ＭＦＰ全体の動作を制御するマイクロプロセッサ部であり、各ブロックに指示を行うことによりＭＦＰはスキャン、プリント、ファックス受信／送信などの各動作を行う。また、マイクロプロセッサ部９内部は後述する図２の動作を行うプログラム等を記憶するＲＯＭ、制御などに必要なデータを一時格納するためのＲＡＭ等を含んでいる。
【００２７】
１０は、バッファメモリであり、リーダ２から原稿を読み込む、記憶装置４から画像データを読み出す又はファックス受信やネットワークを介してデータを取得するなどの動作が行われた場合、各画像データ又は受信信号は一度バッファメモリに格納される。
【００２８】
また、プリンタ３から画像データを印刷する、記憶装置４に画像データを格納する又はファックス送信やネットワークを介してデータを出力する場合にも、各画像データ及び送信信号はバッファメモリ１０から出力される。
【００２９】
１１は、符号・復号化処理部であり、バッファメモリ１０に格納された画像データ又は送信信号に対する符号化（圧縮処理）、または圧縮された画像データ及び受信信号に対して復号化（伸長処理）を行う。
【００３０】
１２は、画像処理部であり、操作パネル部１によってユーザが指示した様々な画像処理や像域判定などの画質向上のための処理が行われる。本実施形態におけるファクシミリ送信時には送信先の能力に合わせ、送信する画像データの解像度変換を行う。
【００３１】
１３は、ＭＦＰと電話回線１５に接続されている他の通信装置との通信を制御する通信制御部であり、ファクシミリ送信及びファクシミリ受信は通信制御部を介して行われる。１４は、網制御部（ＮＣＵ：Network Control Unit）であり、電話回線１５をデータ通信等に使用するための接続制御を行う。１６は、画像データの暗号化、及び暗号化した画像データの解読を行う暗号・解読部である。
【００３２】
１７は、各ブロックを接続する内部バスであり、画像データの転送、各ブロックが動作するためのコマンド及び設定値はこの内部バス１７を介して送受信が行われる。１８は、ネットワーク制御部であり、内部バス１７はネットワーク制御部を介して外部ＬＡＮ１９と接続されている。ネットワーク制御部では外部ＬＡＮ１９と内部バス１７の間でプロトコル変換を行っており、外部ＬＡＮ１９を介して入力した画像データをリーダ２から読み込んだ画像データと同じようにバッファメモリ１０に格納、又はプリンタ３から印刷して出力したり、記憶装置４に格納することが可能である。
【００３３】
図３は本実施形態に係るＭＦＰの操作パネル部１の一構成例を示している。図３において３０１は、スタートボタンを示しており、コピー動作選択時にはスタートボタンを押すことによりコピー動作の開始を、またファクシミリ送信動作選択時にはスタートボタンを押すことによりファクシミリ送信のためにリーダ２を用いて原稿データの読み取りが開始される。
【００３４】
３０２は、動作停止ボタンであり、ＭＦＰがコピー動作中またはファクシミリ送信動作中である場合は動作停止ボタン３０２を押すことにより前記動作を停止する。３０３は、テンキーであり、コピー枚数や拡大・縮小率などの設定値及び暗証番号の入力などに使用する。尚、テンキーの中に数字以外のボタンがあるが、Ｃは設定や暗証番号の入力のためにテンキーを使って入力した値をクリアするためのクリアボタン、ＲはそれまでＭＦＰに設定した内容を破棄してＭＦＰを初期状態に戻すためのリセットボタンを表している。
【００３５】
３０４は、表示部であり、ＭＦＰは表示部を用いて各種設定及び設定内容の表示を行う。３０６は、表示部３０４内部のコピー動作選択領域であり、ユーザが本領域を押すことによりＭＦＰはコピー動作に対する各種設定画面を表示部３０４に表示する。同様に、３０７及び３０８は、表示部３０４内部のファクシミリ送信動作選択領域及びプリント動作選択領域であり、ユーザがそれぞれの領域を押すことによりＭＦＰはファクシミリ送信動作またはプリント動作に対する各種設定画面を表示部３０４に表示する。
【００３６】
図４は、ユーザがファクシミリ送信選択領域３０７を押してファクシミリ送信を選択した場合に表示部３０４に表示されるファクシミリ送信設定画面の一例を示している。本実施形態ではファクシミリ送信において４種類の設定を行う。
【００３７】
図４において４０１は、ファクシミリを送信する相手先を設定するためのボタンであり、４０１を押すことにより表示部３０４は相手先の電話番号入力画面に切り替わる。ここで相手の電話番号はテンキーを用いて入力を行い、入力が終了すると再び図４における表示部３０４に示される状態に戻る。尚、本実施形態では相手先を設定するために相手先の電話番号の入力を行っているが、その他相手先が限定される情報（例えば電子メールのアドレス）であれば電話番号に限るものではない。
【００３８】
４０２は、両面原稿を選択するためのボタンであり、ボタンを押すと両面原稿が選択されたことを表すためボタン４０２が白黒反転表示される。この状態でファクシミリ送信を行うと、リーダ２は原稿の表裏両面の画像データを読み取って記憶装置４に格納する。ボタン４０２をもう一度押すと表示が戻り、両面原稿設定が解除される。
【００３９】
４０３は、セキュア送信を選択するためのボタンであり、ボタンを押すとセキュア送信が選択されたことを表すためボタン４０３が白黒反転表示される。この状態でファクシミリ送信を行うと、ファクシミリ送信がセキュア送信で行われる。ボタン４０３をもう一度押すと表示が戻り、セキュア送信設定が解除される。送信先入力、両面原稿及びセキュア送信の設定が終了すると、本実施形態のＭＦＰはスタートボタン３０１を押すことによりファクシミリ送信を開始する。
【００４０】
図２は、本実施形態のＭＦＰにおけるファクシミリ送信動作を示すフローチャートである。なお、以下に説明される処理に先立ち、送信しようとする画像データは既にリーダ２から読み込まれて記憶装置４に格納されているものとする。
【００４１】
ファクシミリ送信を行うために、まず図４のボタン４０１を押して入力された送信相手先の電話番号を用いて電話回線の接続を行う（ステップＳ２０１）。回線が接続されると送信する画像データを記憶装置４から読み出してバッファメモリ１０に格納する（ステップＳ２０２）。その後、画像データを送信相手先の印刷手段の解像度に合わせるために画像処理部１２による解像度変換処理を行う（ステップＳ２０３）。ここで、送信相手先の印刷手段の解像度はステップＳ２０１において相手側と回線を接続した際にあらかじめ相手先情報として取得してあるものとする。
【００４２】
ステップＳ２０３における解像度変換は画像処理部１２により行うため、バッファメモリ１０に格納された画像データは画像処理部１２に送られる。画像処理部１２により解像度変換が行われた画像データは、解像度変換処理が終了すると再びバッファメモリ１０に格納される。
【００４３】
解像度変換が終了すると、ＭＦＰは図４のボタン４０３によりセキュア送信が選択されているかどうかを参照する（ステップＳ２０４）。セキュア送信が選択されていない場合、ＭＦＰは通常送信を行う。通常送信ではバッファメモリ１０に格納された画像データに対して暗号化などの処理は行わずに、通信制御部１３及びＮＣＵ１４を介して電話回線１５へ出力する（ステップＳ２０５）。
【００４４】
送信相手先への送信が終了すると、ＭＦＰは送信に関する情報をマイクロプロセッサ部９から取得し、プリンタ３から印刷するために前記送信情報をビットマップデータとしてバッファメモリ１０内部に生成する（ステップＳ２０６）。そしてバッファメモリ１０内に生成された送信情報のビットマップデータの後にステップＳ２０５で送信した画像データの一部を追加して、バッファメモリ１０内に送信結果レポート用のデータを生成する（ステップＳ２０７）。
【００４５】
一方、ステップＳ２０４による判断でセキュア送信が選択されている場合は、ＭＦＰはバッファメモリ１０に格納された画像データに対して暗号化処理を行う（ステップＳ２０８）。そのためバッファメモリ１０内に格納されている画像データは内部バス１７を介して暗号化処理は暗号・解読部１６に送られて暗号化処理が施される。
【００４６】
ここで暗号・解読部１６で行われる暗号化処理は、例えばＲＳＡ、ElGamal暗号、楕円曲線暗号等の鍵暗号方式やＳＳＬ方式などさまざまな暗号化処理が考えられる。暗号・解読部１６による暗号化処理が行われた暗号化画像データは再度バッファメモリ１０に格納される。
【００４７】
暗号化処理が終了すると、ＭＦＰはバッファメモリ１０内の暗号化画像データを通信制御部１３及びＮＣＵ１４を介して電話回線１５へ出力する（ステップＳ２０９）。送信が終了すると、ＭＦＰは送信結果レポートを生成するために送信に関する情報をマイクロプロセッサ部９から取得し、プリンタ３から印刷するために前記送信情報をビットマップデータとしてバッファメモリ１０内部に生成する（ステップＳ２１０）。ここでステップＳ２１０によりバッファメモリ１０内に展開する送信情報は、ステップＳ２０６により生成する送信情報と同じであっても異なっていても構わない。また、セキュア送信の場合は送信した画像データを付加せず、ステップＳ２１０により生成した送信情報が送信結果レポートとなる。
【００４８】
送信情報が生成されると、ＭＦＰはバッファメモリ１０内に生成された送信結果レポートをプリンタ３から出力した後（ステップＳ２１１）、送信相手との回線を切断して（ステップＳ２１２）ファクシミリ送信を終了する。
【００４９】
次に、図５〜図７を用いてファクシミリ送信において生成される送信結果レポートの説明を行う。図５はファクシミリ送信を行う原稿の第一頁の一例である。本実施形態のＭＦＰではファクシミリ送信を行う原稿が１枚であっても複数毎であっても生成される送信結果レポートは同じであるため第二頁以降は図示していない。
【００５０】
図６は、図５の原稿に対してセキュア送信を選択せずに通常送信した場合に、ＭＦＰから印刷される送信結果レポートの一例を示す。図６において６０１はステップＳ２０６によりバッファメモリ１０内にビットマップ生成された送信情報部分であり、本実施形態では送信時間、相手先電話番号、送信枚数及び送信結果等が記載されている。また６０２はステップＳ２０７により送信情報の後に付加された送信画像データを表している。本実施形態においては、送信画像データは送信情報部分と同じ記録紙に印刷し、前記記録紙に印刷可能な部分のみ画像データを印刷して出力する。
【００５１】
図７は、図５の原稿に対してセキュア送信を行った場合にＭＦＰから印刷される送信結果レポートを示す。セキュア送信では図７のように送信した画像データを送信結果レポートに印刷せずに送信情報だけを印刷する。また、本実施形態では送信先の情報（図７では電話番号）を非表示にして印刷を行っている。
【００５２】
＜第２の実施形態＞
次に、本発明の第２の実施形態について説明する。本実施形態に係るＭＦＰの構成については、図１に示す構成と同様であるため説明を省略する。
【００５３】
図８は、本実施形態におけるファクシミリ送信動作を示すフローチャートである。なお、以下に説明される処理に先立ち、第１の実施形態と同様に送信しようとする画像データは既にリーダ２から読み込まれて記憶装置４に格納されているものとする。また、図８では第１の実施形態と同じ動作を行う部分については図２と同じ番号を記している。ここでは図２と異なる動作を行う部分についてのみ説明を行う。
【００５４】
図８においてセキュア送信が選択されると、ＭＦＰはステップＳ２１０において暗号化した画像データの送信を行い、ステップＳ２１０によりマイクロプロセッサ部９から取得した前記送信情報をビットマップデータとしてバッファメモリ１０内部に生成する。
【００５５】
ステップＳ２１０による送信情報の生成が終了すると、ＭＦＰは暗号化前の画像データに対して像域判定処理を行うことによって像域データの生成を行う（ステップＳ８０１）。像域判定とは原稿内部のデータを参照して、例えば文字画像部分／図形画像部分／写真画像部分というふうに原稿内部の領域を分割する処理であり、分割した各部分は像域データによって区別する。本実施形態のＭＦＰでは上記像域判定処理及び像域データの作成は画像処理部１２において行うものとする。
【００５６】
尚、バッファメモリ１０内の画像データはセキュア送信のために暗号・解読部１６によって暗号化処理が行われているため、像域判定を行うための画像データは再度記憶装置４から取得する。記憶装置４から読み出した画像データは画像処理部１２に送られ（一旦バッファメモリ１０に格納し、それから画像処理部１２に渡してもよい）、画像処理部１２により像域判定を行い生成した像域データがバッファメモリ１０に格納される。
【００５７】
像域データがバッファメモリ１０に格納されると、ＭＦＰはステップＳ２１０で生成した送信情報の後にステップ８０１で送信した像域データの一部を追加して、バッファメモリ１０内に送信結果レポート用のデータを生成する（ステップＳ８０２）。
【００５８】
図９は、本実施形態において図５の原稿に対してセキュア送信を行った場合の送信結果レポートの一例を示す。尚、通常送信を行った場合は図６に示す送信結果レポートが印刷される。
【００５９】
図９において９０１は像域判定処理によって文字画像部分と判定された領域であり、図９では白抜きの四角と「ＴＥＸＴ」の文字で表している。また９０２は同様に図形画像部分と判定された領域であり、図９においては斜線と「Ｆｉｇｕｒｅ」の文字で表している。説明を容易にするための写真画像部分については説明を省略するが、文字画像部分及び図形画像部分と同様に他の部分と区別がつくような表現で送信結果レポートに印字される。
【００６０】
図９に示すように、セキュア送信を行った場合は送信結果レポートに画像データの代わりに像域データを追加することで、セキュア送信時に送信者以外に対して送信内容の機密性を保持すると共に、送信者に対して送信した原稿を判断する情報を抵抗することができる。
【００６１】
また、図１０は第２の実施形態における送信結果レポートの別の例を示す。図１０ではセキュア転送を行った画像全てに対して、図９と同様に像域データの表示を行い、かつ一枚の記録紙に表示している（図１０中、１００１〜１００５）。
【００６２】
以上説明したように、上記実施形態によれば、セキュア送信が行われた場合には通常通信と異なる処理により送信結果レポートを作成して印刷することによって、送信終了または送信エラー発生時に、送信原稿を送信結果レポートに印刷しないようにすることによりセキュア送信における機密性を保持することができる。
【００６３】
尚、上記説明ではファクシミリ送信における動作説明を行ったが、本発明はファクシミリ送信に限定するものでなく、その他の方式による送信動作時においても送信画像を含む送信結果を出力する場合は有効である。
【００６４】
また、上記説明では送信する原稿はＭＦＰのリーダにより読み取っていたが、例えばＬＡＮ１９を用いてネットワーク制御部から入力することも考えられる。
【００６５】
さらには、上記説明ではファクシミリ送信が問題なく行われた場合について動作説明を行ったが、例えばエラーが発生して送信ができなかった場合に送信結果レポートを出力する場合にも有効である。また、送信結果レポートについて予め設定された内容に拘わらず、セキュア送信が選択された場合には所定の送信結果レポート出力方法に切り替えることも可能である。例えば、ユーザによる設定或いは固有の設定によって、ファクシミリ送信が問題なく行われた場合のみ送信結果レポートを出力させるように設定されていても、セキュア送信が選択された場合には、その設定内容に拘わらず、ファクシミリ送信が問題なく行われた場合及びエラーが発生した場合の双方において送信結果レポートを出力させるように構成してもよい。
【００６６】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００６７】
この場合、記憶媒体から読み出されたプログラムコード自体が前述した実施形態の機能を実現することになり、プログラムコード自体及びそのプログラムコードを記憶した記憶媒体は本発明を構成することになる。
【００６８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６９】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００７０】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００７１】
【図１】本発明の第１及び第２の実施形態に係るＭＦＰの構成を概略的に示す図である。
【図２】本発明の第１の実施形態に係るＭＦＰのファクシミリ送信動作を示すフローチャートである。
【図３】本発明の第１の実施形態に係るＭＦＰの操作パネルの一構成例を示す図である。
【図４】ファクシミリ送信設定画面の一例を示す図である。
【図５】ファクシミリ送信を行う原稿の第一頁の一例を示す図である。
【図６】セキュア送信を選択せずに通常送信した場合にＭＦＰから印刷される送信結果レポートの一例を示す図である。
【図７】セキュア送信を行った場合にＭＦＰから印刷される送信結果レポートの一例を示す図である。
【図８】本発明の第２の実施形態に係るファクシミリ送信動作を示すフローチャートである。
【図９】本発明の第２の実施形態においてセキュア送信を行った場合の送信結果レポートの一例を示す図である。
【図１０】本発明の第２の実施形態においてセキュア送信を行った場合の送信結果レポートの他の例を示す図である。
【符号の説明】
【００７２】
１：操作パネル部
２：リーダ
３：プリンタ
４：記憶装置
５：操作パネル制御部
６：リーダ制御部
７：プリンタ制御部
８：記憶装置制御部
９：マイクロプロセッサ部
１０：バッファメモリ
１１：符号・復号化処理部
１２：画像処理部
１３：通信制御部
１４：ＮＣＵ
１５：電話回線
１６：暗号・解読部
１７：内部バス
１８：ネットワーク制御部
１９：外部ＬＡＮ
９０１：文字画像判定領域
９０２：図形画像判定領域
【図１】
2005159659.tif 000003
【図２】
2005159659.tif 000004
【図３】
2005159659.tif 000005
【図４】
2005159659.tif 000006
【図５】
2005159659.tif 000007
【図６】
2005159659.tif 000008
【図７】
2005159659.tif 000009
【図８】
2005159659.tif 000010
【図９】
2005159659.tif 000011
【図１０】
2005159659.tif 000012